(57)【特許請求の範囲】
【請求項１】
遊技球が流下可能な遊技領域を有する遊技盤と、前記遊技盤に設置され、遊技状況に応じて作動可能な演出役物ユニットとを備えた遊技機において、
前記演出役物ユニットは、
動力源と、
上下方向の軸回りに揺動することで互いに開閉可能で、かつ表面に光透過部を有する一対の外殻演出部材と、
前記外殻演出部材が閉鎖状態にあるときには、前記外殻演出部材内に遊技者から実質的に視認不能に収容され、前記外殻演出部材が開放状態にあるときには、出現し、かつ表面に光透過部を有する内側演出部材と、
前記動力源の動力を前記外殻演出部材に伝達して前記外殻演出部材を閉鎖状態から開放状態に変化させるリンク機構部と、
前記外殻演出部材内に固定され、表面に第１光源、裏面に第２光源をそれぞれ実装した光源基板とを備え、
前記第１光源は、前記外殻演出部材が閉鎖状態にあるとき、前記外殻演出部材を裏側から照射して前記外殻演出部材の光透過部を光輝させる演出を行い、
前記第２光源は、前記外殻演出部材が開放状態にあるとき、前記内側演出部材を裏側から照射して前記内側演出部材の光透過部を光輝させる演出を行うことを特徴とする遊技機。
【発明の詳細な説明】
【技術分野】
【０００１】
本発明は、パチンコ機等の遊技機に係わり、特には遊技状況に応じて作動可能な演出役物ユニットを備えた遊技機に関する。
【背景技術】
【０００２】
従来、パチンコ機等の遊技機においては、遊技盤の裏面側に配置される表示装置にキャラクタや数字等の演出図柄を表示すると共に、遊技状況に応じて表示装置の前側に可動演出役物を出現させることで、遊技中のサプライズ性（意外性）を醸し出して遊技の盛り上げ演出を行うようにしている（例えば、特許文献１参照）。
【先行技術文献】
【特許文献】
【０００３】
【特許文献１】特開２０１２−１２０６２０号公報
【発明の概要】
【発明が解決しようとする課題】
【０００４】
しかしながら、特許文献１記載の遊技機においては、遊技状況に応じて、複数の可動演出役物が表示装置の前面に沿って平面的に動くだけであるため、演出効果及びサプライズ性において乏しいものがある。
【０００５】
本発明は、かかる課題に鑑みなされたものであって、遊技中の演出効果を高め、遊技の興趣を向上可能とした遊技機を提供することを目的とする。
【課題を解決するための手段】
【０００６】
上記課題を解決するため、本発明は、遊技球が流下可能な遊技領域を有する遊技盤と、前記遊技盤に設置され、遊技状況に応じて作動可能な演出役物ユニットとを備えた遊技機において、前記演出役物ユニットは、動力源と、上下方向の軸回りに揺動することで互いに開閉可能で、かつ表面に光透過部を有する一対の外殻演出部材と、前記外殻演出部材が閉鎖状態にあるときには、前記外殻演出部材内に遊技者から実質的に視認不能に収容され、前記外殻演出部材が開放状態にあるときには、出現し、かつ表面に光透過部を有する内側演出部材と、前記動力源の動力を前記外殻演出部材に伝達して前記外殻演出部材を閉鎖状態から開放状態に変化させるリンク機構部と、前記外殻演出部材内に固定され、表面に第１光源、裏面に第２光源をそれぞれ実装した光源基板とを備え、前記第１光源は、前記外殻演出部材が閉鎖状態にあるとき、前記外殻演出部材を裏側から照射して前記外殻演出部材の光透過部を光輝させる演出を行い、前記第２光源は、前記外殻演出部材が開放状態にあるとき、前記内側演出部材を裏側から照射して前記内側演出部材の光透過部を光輝させる演出を行うことを特徴とする。
【発明の効果】
【０００７】
本発明によれば、外殻演出部材が閉鎖状態から開放状態に変化することにより、内側演出部材が外殻演出部材から出現するため、意外性のある演出を可能にして、演出効果を高めて遊技の興趣を向上させることが可能となる。
さらには、一枚の光源基板の表面に実装した第１光源により外殻演出部材の光透過部を光輝させ、同じく裏面に実装した第２光源により内側演出部材の光透過部を光輝させるため、異なる場所の光透過部をそれぞれ光輝させつつ、光源基板の使用枚数を削減してコストの低減を図ることができる。
【図面の簡単な説明】
【０００８】
【図１】本発明に係る遊技機の斜視図である。
【図２】演出役物ユニットが初期状態にあるときの遊技盤の正面図である。
【図３】演出役物ユニットが開放状態にあるときの遊技盤の正面図である。
【図４】演出役物ユニットの分解斜視図である。
【図５】初期状態にあるときの演出役物ユニットの正面図である。
【図６】回動状態にあるときの演出役物ユニットの正面図である。
【図７】外殻演出部材が回動状態で僅かに開放したときの演出役物ユニットの正面図である。
【図８】外殻演出部材が回動状態で、かつ開放状態にあるときの演出役物ユニットの正面図である。
【図９】図６におけるIX−IX線縦断面図である。
【図１０】図８におけるＸ−Ｘ線縦断面図である。
【図１１】図５におけるXI−XI線縦断面図である。
【図１２】図８におけるXII−XII線縦断面図である。
【図１３】図５におけるXIII−XIII線縦断面図である。
【図１４】初期状態にあるときの要部の拡大背面図である。
【図１５】ストッパ状態にあるときの要部の拡大背面図である。
【図１６】開放状態にあるときの要部の拡大背面図である。
【図１７】楔部を含む要部の拡大縦断面図である。
【図１８】初期状態にあるときの要部を説明するための模式図である。
【図１９】開放状態にあるときの要部を説明するための模式図である。
【図２０】スリップリング及び光源を含む回路構成図である。
【発明を実施するための形態】
【０００９】
以下、本発明を実施するための一実施形態を添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１０】
以下の説明において遊技機１の各部の左右方向は、その遊技機１の正面に対面する者にとっての左右方向に合わせて説明する。
【００１１】
（遊技機１の全体構造）
図１に示すように、遊技機１は、遊技場の島設備に設置される矩形枠状の外枠２と、当該外枠２の左枠部に図示略の蝶番により垂直軸回りに開閉自在に取り付けられる内枠３と、当該内枠３に装着され、各種要素が組み付けられる図２、３に示す遊技盤４と、当該遊技盤４の前側にあって、内枠３の左枠部に上下の蝶番５、５により垂直軸回りに開閉自在に取り付けられ、遊技盤４の前面を遊技者が透視し得るガラス板６１を嵌め込んだガラス枠６と、遊技盤４の後側に設けられ賞球や貸球等の遊技球を払出可能な図示略の払出装置と、ガラス枠６の下部に設けられ、払出装置から払い出される遊技球を貯留するための上受皿部７と、ガラス枠６の下部裏側に設けられ上受皿部７に貯留されている遊技球を導入して遊技盤４の前面に形成される遊技領域４０１へ向けて発射するための図示略の発射装置と、上受皿部７に遊技球が満杯になった際、溢れ球を導入可能な下受皿部８と、ガラス枠６の前面右下部に設けられ上受皿部７に貯留された遊技球を遊技領域４０１へ打ち出す際に操作される発射ハンドル９と、ガラス枠６の上部に設けられ遊技状況に応じた効果音を出力するスピーカ１０Ｌ、１０Ｒと、ガラス枠６に設けられ遊技状況に応じて点灯、消灯及び点滅する照明演出を行う電飾装置１１と、遊技盤４の後側に設置される表示装置１２（図２、３に点線で表示）と、遊技盤１の裏側に設置され、遊技進行及び遊技演出を制御するためのマイクロコンピュータにより構成され、遊技全体を統括的に制御する図示略の主制御部及び主制御部からの指令に基づいて演出対象物を制御する演出制御部を含む制御装置と、遊技盤４の裏側に設置され各電装部品に電力を供給するための電源装置等を備える。なお、本実施形態における演出対象物は、スピーカ１０Ｌ、１０Ｒ、電飾装置１１、表示装置１２及び後述の演出役物ユニット２１等を含む。
【００１２】
図２、３に点線で示す表示装置１２は、例えば液晶ディスプレイから構成され、遊技盤４の略中央部にガラス枠６のガラス板６１を透して遊技者が視認可能な遊技に係わる情報である各種キャラクタや左列、中列、右列の３列の数字等で構成される図示略の演出図柄を変動、停止表示すると共に、そのときの遊技進行に応じた動画を表示することによって遊技の盛り上げ演出を行う。
【００１３】
（遊技盤４及びそれに関連する構造）
図２、３に示すように、遊技盤４は、アクリル樹脂等の透明合成樹脂板により正面視ほぼ方形に形成されると共に、前面に、内外のガイドレール４０２、４０３によって包囲される円形（楕円形を含む）の遊技領域４０１を形成する。上受皿部７に貯留された遊技球は、発射ハンドル９が回転操作されることにより、発射装置から発射されて、内外のガイドレール４０２、４０３により左斜め上方へ誘導されて遊技領域４０１内に導入されて流下する。
【００１４】
遊技領域４０１の略中央部には、遊技盤４の後側に設置される表示装置１２に表示される演出図柄を視認し得るように、表示装置１２の周縁を前側から包囲する各種模様が施された正面視で枠状の装飾枠１３が固定される。
【００１５】
さらに、遊技領域４０１には、遊技領域４０１に打ち込まれた遊技球の流下方向を変化させる多数の釘１４及び単一の風車１５と、表示装置１２の下方にあって、遊技領域４０１の左領域（装飾枠１３の左側の領域）を流下する遊技球のうち装飾枠１３の左部に設けられたワープ孔１３１に進入したワープ球を導入し、当該ワープ球を左右及び前後方向へ転動させ得るステージ１６と、当該ステージ１６の下方にあって、遊技領域４０１を流下する遊技球及びステージ１６の前側から落下したワープ球が入賞可能な始動入賞口１７と、遊技領域４０１の右領域（装飾枠１３の右側の領域）にあって、遊技球が通過可能なスルーチャッカ１８及び入賞可能なアタッカー１９と、発射装置から勢いよく発射された遊技球を遊技領域４０１の右領域へ誘導するための右打ち通路４０４と、遊技領域４０１に打ち込まれた遊技球のうち始動入賞口１７、アタッカー１９等の入賞装置に入賞しなかったアウト球を遊技盤４の裏面側に排出するアウト口２０等が設けられる。
【００１６】
遊技盤４の裏面と表示装置１２の前面の間には、遊技状態が所定の特別遊技状態、例えば「リーチ」または「大当り」になったとき「リーチアクション」または「大当りアクション」の演出動作を行う演出役物ユニット２１が設けられる。
【００１７】
始動入賞口１７に遊技球が入賞した際の検出信号は、制御装置に送信される。制御装置は、検出信号に基づいて内部で発生させた乱数に応じて、「リーチ」、「大当たり」、「外れ」等の判定を行うと共に、所定の確率で実行される抽選の結果に基づいて、表示装置１２を含む演出対象物を制御する。
【００１８】
なお、本明細書で使用する「リーチ」とは、例えば、表示装置１２に表示される左、中、右３列の演出図柄のうち２列の図柄列を先に停止させ、既に停止表示された２列の表示結果が同一の図柄の組み合わせとなって最終停止図柄の停止に期待をもたせる演出のことである。「リーチアクション」とは、「リーチ」時の一連の演出のことである。なお、「通常遊技」とは、「大当り」、「リーチ」等が発生していない遊技状態を指す。
【００１９】
（遊技の概要）
遊技状態が「通常遊技」の場合には、上受皿部７に貯留された遊技球を遊技領域４０１の左領域に流下させるように、発射ハンドル９の回転操作により発射装置の発射力を調節する。
【００２０】
遊技球が始動入賞口１７に入賞すると、これを契機に、制御装置により実行される抽選の結果、所定の変動パターンに基づいて、表示装置１２に演出図柄が所定時間所定の演出態様で表示演出される。そして、抽選の結果、「リーチ」が発生した場合には、図２に実線で示す状態から演出役物ユニット２１が上昇して図２に２点鎖線で示すように表示装置１２の前側に出現する「リーチアクション」が行われる。
【００２１】
そして、「リーチアクション」が発展した場合には、演出役物ユニット２１における印籠を模した後述の第１、２外殻演出部材２４、２５が回転したり、第１、２外殻演出部材２４、２５の表面が光輝したり、開放する等の演出が行われると共に、演出図柄が左、中、右列に同一の図柄が揃って確定表示された場合には、制御装置は、遊技状態を「大当り」に移行させるように制御する。なお、図３は、演出役物ユニット２１の第１、２外殻演出部材２４、２５が開放した状態に示している。
【００２２】
遊技状態が「大当り」に移行した場合には、遊技球を右打ちとなるように、発射ハンドル９を回転操作して発射装置の発射力が最大力となるように調整する。
【００２３】
右打ちされた遊技球は、右打ち通路４０４を通過して遊技領域４０１の右領域に導かれ、開放状態にあるアタッカー１９に容易に入賞する。
【００２４】
アタッカー１９は、内部に設けた図示略のアタッカーセンサが遊技球を１０個入賞したことを検知するか、または開放してから３０秒が経過すると閉鎖し、閉鎖後に再度開放する。これを最大１５回まで繰返す。これにより、「大当り」が発生した場合には、アタッカー１９に多数の遊技球が入賞可能となり、図示略の賞球払出装置から賞球として大量の遊技球が短時間に上受皿部７に払い出される。
【００２５】
（演出役物ユニット２１の構造）
図４は、演出役物ユニット２１の分解斜視図、図５は、初期状態にあるときの演出役物ユニット２１の正面図、図６は、回動状態にあるときの演出役物ユニット２１の正面図、図７は、回動状態で半開き状態にあるときの演出役物ユニット２１の正面図、図８は、回動状態で開放状態にあるときの演出役物ユニット２１の正面図をそれぞれ示す。
【００２６】
なお、以下の説明で使用する演出役物ユニット２１における方位は、演出役物ユニット２１が図５に示す初期状態にあるときの方位を指し、回動状態とは、演出役物ユニット２１における第１、２外殻演出部材２４、２５が初期状態から略９０度回転した状態を指す。
【００２７】
図４に示すように、演出役物ユニット２１は、主な要素として、遊技盤４の後側に設置される図示略の昇降機構により上下方向へ昇降可能に支持されるベース部材２２と、ベース部材２２に上下方向の軸部２３１、２３２により回転可能に枢支される支持部材２３と、支持部材２３と共に回転可能で、かつ支持部材２３に対して上下方向の軸３５、３７によりそれぞれ所定角度揺動可能に枢支される外観形状が印籠を模した前後一対の第１、２外殻演出部材２４、２５と、支持部材２３及び第１、２外殻演出部材２４、２５を軸部２３１、２３２を中心に回転させるための動力を出力する第１駆動機構部２６と、第１、２外殻演出部材２４、２５内に固定される第１、２光源基板２７、２８と、第１、２外殻演出部材２４、２５内に可動可能に設置され家紋を模した第１、２内側演出部材２９、３０と、第１、２外殻演出部材２４、２５及び第１、２内側演出部材２９、３０を作動させる動力を出力する第２駆動機構部３２と、第２駆動機構部３２の動力を第１、２外殻演出部材２４、２５及び第１、２内側演出部材２９、３０に伝達可能なリンク機構部３１と、第１、２光源基板２７、２８に電力や信号を伝達可能なスリップリング３３とを有する。
【００２８】
なお、本発明に係る回転体は、支持部材２３、第１、２外殻演出部材２４、２５及び第１、２内側演出部材２９、３０の少なくとも一つを含むものである。
【００２９】
また、演出役物ユニット２１を昇降可能な構成を採用しない場合には、ベース部材２２は、遊技盤４に直接固定される。
【００３０】
ベース部材２２は、正面視において、図示略の昇降機構を介して遊技盤４に支持される左右の取付部２２１、当該左右の取付部２２１の上端を連結し前方へ延伸する天井部２２２、左右の取付部２２１の下部を連結する下辺部２２３、及び左右の取付部２２１の間に形成される縦長の開口部２２４を有する。
【００３１】
スリップリング３３は、ベース部材２２の天井部２２２に取り付けられ、回転側（支持部材２３側）にある電極に固定側（ベース部材２２側）にあるブラシを押し当てることで、支持部材２３側に電源装置からの電力や制御装置からの信号を支持部材２３及び第１、２外殻演出部材２４、２５と共に後述のように回転する第１、２光源基板２７、２８に実装される多色光源２７１、２８１及び単色光源２７２、２８２に伝達可能とする（図２０参照）。
【００３２】
支持部材２３は、正面視で略コ字形をなして、上片部２３３から上方へ突出した上向き軸部２３１をスリップリング３３の軸孔３３１、また下片部２３４から下方へ突出した下向き軸部２３２が第１駆動機構部２６のカバー２６１の軸孔２６２にそれぞれ挿入されることで、各軸部２３１、２３２、すなわち上下方向の軸を中心に回転可能に枢支される。支持部材２３の下片部２３４には、下方へ突出する突出部２３５が設けられる。この突出部２３５は、後述のラック３２４に対して支持部材２３の回転方向へ当接することで、支持部材２３、すなわち第１、２外殻演出部材２４、２５の回転を阻止する機能を有する。
【００３３】
第１駆動機構部２６は、ベース部材２２の下片部２２３に固定されるカバー２６１と、カバー２６１に固定される第１モータ２６３（動力源）と、第１モータ２６３の出力軸に止着され、上下方向の軸回りに回転可能な中間平歯車２６４と、カバー２６１に上下方向の軸回りに回転可能に枢支され、中間平歯車２６４に噛合する出力平歯車２６５と、各種電線が接続される複数のコネクタ２６６とを有し、出力平歯車２６５の中心孔２６５ａに支持部材２３の下向き軸部２３２を嵌合固定することによって、第１モータ２６３の回転を支持部材２３に伝達して、軸部２３１、２３２を中心に、第１、２外殻演出部材２４、２５を回転させる機能を有する。
【００３４】
第１、２外殻演出部材２４、２５は、右部が上下方向の軸３５、３７により支持部材２３にそれぞれ枢支され、第１駆動機構部２６の動力により、初期状態（図５、１１に示すように、それぞれの合わせ面２４３、２５３が互いに接触した状態で左側を向き、かつ第１外殻演出部材２４の表面部２４１が前側を向き、第２外殻演出部材２５の表面部２５１が後側を向く状態）から回動状態（図６に示すように、それぞれの合わせ面２４２、２５３が前側を向き、かつ第１外殻演出部材２４の表面部２４１が右側を向き、第２外殻演出部材２５の表面部２５１が左側を向く状態）に回転したり、第２駆動機構部３２の動力により、回動状態にあるとき、閉鎖状態（図６に示す状態）から開放状態（図８に示す状態）に変化したりする演出を行う。また、第１、２外殻演出部材２４、２５が図８、１２に示すように、開放状態に変化した場合には、第１、２外殻演出部材２４、２５の内部から第１、２内側演出部材２９、３０が出現する演出も同時に行われる。
なお、第１、２外殻演出部材２４、２５の合わせ面２４３、２５３は、回動状態で、かつ閉鎖状態にあるとき、軸３５、３７の反対側、すなわち前側にあって、互いに接触する上下方向の面を指す。
【００３５】
第１、２外殻演出部材２４、２５の閉鎖状態から開放状態への変化は、第１、２外殻演出部材２４、２５が回動状態に回動したときにのみ行われる。
【００３６】
初期状態にあるとき前側に位置する第１外殻演出部材２４は、第２外殻演出部材２５に対向する側（図４において後側）が開口する箱状をなして、その表面部２４１の裏側である裏面に第１透明プレート３４を固定すると共に、当該プレート３４の右部を上下方向の軸３５により支持部材２３の上片部２３３と下片部２３４に枢支することで、第２駆動機構部３２の動力をもって、表面部２４１が前側を向く初期状態（図５、１１に示す状態）から表面部２４１が右側を向く回動状態（図６に示す位置）へ回動可能である。第１外殻演出部材２４の表面部２４１には、その裏面側から後述のフルカラー（多色）のＬＥＤにより構成される複数の多色光源２７１の光に照射されることで表面が光輝する所定の図柄を模した光透過部のレンズ部２４２が形成される。
【００３７】
初期状態にあるとき後側に位置する第２外殻演出部材２５は、第１外殻演出部材２４に対向する側（図４において前側）が開口する箱状をなして、表面部２５１（図４において後側を向く面）の裏側（前側）である裏面に第２透明プレート３６を固定すると共に、当該プレート３６の右部を上下方向の軸３７により支持部材２３の上片部２３３と下片部２３４に枢支することで、第２駆動機構部３２の動力をもって、表面部２５１が後側を向く初期状態（図５、１１に示す状態）から表面部２５１が左側を向く回動状態（図６に示す状態）へ回動可能である。第２外殻演出部材２５の表面部２５１には、その裏面側から後述のフルカラー（多色）のＬＥＤにより構成される複数の多色光源２８１の光に照射されることで表面が光輝する所定の図柄を模した光透過部のレンズ部２５２が形成される。
【００３８】
第１、２外殻演出部材２４、２５の内面には、磁石３９、４０が固定される。磁石３９、４０は、図１３に示すように、支持部材２３の両側面に設けられる金属片２３６、２３６に吸着することにより、第１、２外殻演出部材２４、２４を閉鎖状態に保持するための保持部材を構成する。
【００３９】
なお、第１、２外殻演出部材２４、２５を閉鎖状態に保持するための保持部材は、磁石３９、４０に限定されるものでなく、他の保持手段、例えば、係止片に係合する弾性爪、バネ等に変更可能である。
【００４０】
第１光源基板２７は、第１外殻演出部材２４における表面部２４１の裏面と第１透明プレート３４間に固定され、表面（第１外殻演出部材２４の表面部２４１の裏面に対向する面）に複数の多色（赤色、緑色、青色）光源２７１を実装し、裏面に複数の単色（白色）光源２７２を実装する。
【００４１】
第２光源基板２８は、第２外殻演出部材２５における表面部２５１の裏面と第２透明プレート３６間に固定され、表面（第２外殻演出部材２５の表面部２５１の裏面に対向する面）に複数の多色光源２８１を実装し、裏面に単色の複数の単色光源２８２を実装する。
【００４２】
多色光源２７１、２８１は、第１、２外殻演出部材２４、２５が初期状態、初期状態から１８０度回転した状態及び回動状態にあるとき、第１、２外殻演出部材２４、２５の内側からレンズ部２４２、２５２を照射することで、レンズ部２４２、２５２を色々な色で光輝させる電飾演出を行う。
【００４３】
単色光源２７２、２８２は、第１、２外殻演出部材２４、２５が回動状態で、開放状態にあるとき、第１、２内側演出部材２９、３０を裏面側から照射することで、第１、２内側演出部材２９、３０に形成した光透過部である各レンズ部２９１、３０１を白色に光輝させる電飾演出を行う。
なお、単色光源２７２、２８２は、第１、２外殻演出部材２４、２５の内部に設けられる内側演出物を構成するものである。
【００４４】
第１、２光源基板２７、２８に実装された多色光源２７１、２８１及び単色光源２７２、２８２の配線は、図２０に示すようにして行われる。
すなわち、スリップリング３３には、図示略のコモン線以外に、３系統のＲ配線３３Ｒ、Ｇ配線３３Ｇ、Ｂ配線３３Ｂを有する。Ｒ配線３３Ｒは、多色光源２７１、２８１の赤色（Ｒ）の端子、複数の単色光源２７２のうち最上部の単色光源２７２ａ、及び複数の単色光源２８２のうち最下部の単色光源２８２ａにそれぞれ並列配線される。Ｇ配線３３Ｇは、多色光源２７１、２８１の緑色（Ｇ）の端子、複数の単色光源２７２のうち真ん中の単色光源２７２ｂ、及び複数の単色光源２８２のうち真ん中の単色光源２８２ｂにそれぞれ並列配線される。また、Ｂ配線３３Ｂは、多色光源２７１、２８１の青色（Ｂ）の端子、複数の単色光源２７２のうち最下部の単色光源２７２ｃ、及び複数の単色光源２８２のうち最上部の単色光源２８２ｃにそれぞれ並列配線される。
【００４５】
電源装置から供給される電力や制御装置から出力される信号は、スリップリング３３のブラシ、各配線３３Ｒ、３３Ｇ、３３Ｂを通って多色光源２７１、２８１の各色部及び単色光源２７２、２８２に伝達される。
【００４６】
例えば、多色光源２７１、２８１が遊技状況に応じた色で発光するような演出を行うと、多色光源２７１、２８１の各色の端子にそれぞれ並列に配線された複数の単色光源２７２、２８２も同時に発光することとなる。また、単色光源２７２、２８２を遊技状態に応じた順番で点滅制御して、単色光源２７２、２８２が恰も回転しているような演出を行うと、多色光源２７１、２８１も同時に発光することとなる。
【００４７】
しかし、本実施形態においては、図１８に示すように、第１、２外殻演出部材２４、２５が閉鎖状態にある場合、第１、２光源基板２７、２８の表面に実装された多色光源２７１、２８１は、第１、２外殻演出部材２４、２５の内部で発光し、かつ遊技者から見える面であるレンズ部２４２、２５２を光輝させる演出を行うのに対し、第１、２光源基板２７、２８の裏面に実装された単色光源２７２、２８２は、第１、２外殻演出部材２４、２５内に格納された状態、すなわち遊技者から実質的に見えない状態で発光するだけで演出に何ら使用するものでないため、単色光源２７２、２８２はどのような形態で発光しても遊技の演出に影響を与えるものではない。
【００４８】
また、図１９に示すように、第１、２外殻演出部材２４、２５が開放状態にある場合、単色光源２７２、２８２は、第１、２内側演出部材２９、３０の後側で発光し、かつ遊技者から見える面であるレンズ部２９１、３０１を光輝させる演出を行うのに対し、多色光源２７１、２８１の光は、第１、２外殻演出部材２４、２５の後側に向いたレンズ部２４２、２５２、すなわち遊技者から実質的に見えない面を光輝させるだけで演出に何ら使用するものでないため、多色光源２７１、２８１の光はどのように発光しても遊技の演出に影響を与えるものではない。よって、多色光源２７１、２８１と単色光源２７２、２８２が互いに同期して発光しても、遊技者を惑わすような演出が行われない。
【００４９】
また、一枚の第１光源基板２７（または第２光源基板２８）の表面に実装した第１光源を構成する多色光源２７１（または多色光源２８１）により第１外殻演出部材２４（または第２外殻演出部材２５）の光透過部を構成するレンズ部２４２（またはレンズ部２５２）を光輝させ、同じく裏面に実装した第２光源を構成する単色光源２７２（または単色光源２８２）により第１内側演出部材２９の光透過部を構成するレンズ部２９１（または第２内側演出部材３０のレンズ部３０１）を光輝させるため、異なる場所の光透過部をそれぞれ光輝させつつ、光源基板の使用枚数を削減してコストの低減を図ることができる。
【００５０】
上述により、スリップリング３３をコモンラインを除いた３極（合計４極）の小型のものを使用しても、多色光源２７１、２８１及び単色光源２７２、２８２を用いて、そのときの状況に応じて多彩な演出を行うことができる。
【００５１】
なお、本発明に係る、多色光源２７１、２８１の発光により光輝する回転体（第１、２外殻演出部材２４、２５、第１、２内側演出部材２９、３０）の一方の面は、本実施形態の第１、２外殻演出部材２４、２５のレンズ部２４２、２５２または第１、２内側演出部材２９、３０のレンズ部２９１、３０１のいずれかの面を指し、また、単色光源２７２、２８２の発光により光輝する回転体の他方の面は、本実施形態の第１、２外殻演出部材２４、２５のレンズ部２４２、２５２または第１、２内側演出部材２９、３０のレンズ部２９１、３０１のうち前記のいずれか面以外の面を指す。
【００５２】
また、多色光源２７１、２８１を第１、２光源基板２７、２８の表面に実装し、単色光源２７２、２８２を第１、２光源基板２７、２８の裏面に実装することに代えて、多色光源２７１、２８１を第１、２光源基板２７、２８の裏面に実装し、単色光源２７２、２８２を第１、２光源基板２７、２８の表面に実装しても良い。
【００５３】
第１、２内側演出部材２９、３０は、単色光源２７２、２８２と共に第１、２外殻演出部材２４、２５の内部に設けられる内側演出物を構成するものであって、略半円状をなして、各左端部が上下方向の軸３８により支持部材２３の左部に枢支されると共に、第２駆動部３２の動力によって、第１、２外殻演出部材２４、２５内で折り畳まれた収容状態（図１１に示す状態）から軸３８を中心に略９０度回転した展開状態（図１２に示す状態）に変化可能である。
【００５４】
第２駆動機構部３２は、ベース部材２２の下片部２２３に固定される第２モータ３２１（動力源）と、第２モータ３２１の出力軸に止着され前後方向の軸回りに回転可能な中間平歯車３２２と、ベース部材２２の下片部２２３に前後方向の軸回りに回動可能に枢支され中間平歯車３２２に噛合する出力平歯車３２３と、ベース部材２２の下片部２２３に上下方向へ摺動可能に支持されると共に、出力平歯車３２３に噛合する作動部材を構成するラック３２４と、ラック３２４の前側に固定され、ラック３２４と一体となって上下動可能な楔部３２５とを有する。
なお、作動部材は、本実施形態のラック３２４に代えて、第２モータ３２１の動力により上下動するリンクとしても良い。
【００５５】
ラック３２４は、支持部材２３の突出部３２５に対して支持部材２３の回転方向に当接可能なストッパ部３２４ａと、リンク機構部３１の後述のリンク３１１の下端部３１１ａを押し上げ可能な押上げ部３２４ｂと、出力平歯車３２３に噛合する歯部３２４ｃとを有し、第２モータ３２１の動力により、図１４に示す下限位置にある初期状態（位置）から上昇し図１５に示すストッパ状態（位置）を経由して図１６に示す開放状態（位置）、及びその逆へ移動可能である。
【００５６】
図１４に示すように、ラック３２４が初期状態にある場合、ストッパ部３２４ａは、支持部材２３の突出部２３５の移動軌跡よりも下方に退避して支持部材２３の回転を自由にする。これにより、第１、２外殻演出部材２４、２５は、第１モータ２６３の動力により回転することができる。
【００５７】
図１５に示すように、ラック３２４が初期状態からストッパ状態に上昇移動した場合には、ストッパ部３２４ａは、突出部２３５の移動軌跡内に進入して突出部２３５に対して支持部材２３の回転方向に当接することで、第１、２外殻演出部材２４、２５を初期状態から９０度回転した回動状態に停止させる。これにより、第１、２外殻演出部材２４、２５は、回転動作から回動状態に確実に停止することができる。
【００５８】
ラック３２４がストッパ状態から上昇すると、楔部３２５は、図１７に示すように、上部に設けた尖端部３２５ａが第１、２外殻演出部材２４、２５における下部の合わせ面に設けた間隙部４１に下方から進入することで、第１、２外殻演出部材２４、２５を強制的に僅かに開放させる。これにより、磁石３９、４０の吸着力により閉鎖状態に保持されている第１、２外殻演出部材２４、２５を楔部３２５の楔作用をもって、磁石３９、４０の吸着力に抗して、第１、２外殻演出部材２４、２５を軽い力で僅かに開動作させることができる。
【００５９】
ラック３２４がさらに上昇して図１６に示す開放状態に移動すると、押上げ部３２４ｂは、リンク機構部３１におけるレバー３１１の下端部３１１ａを押し上げることで、後述のように、レバー３１１を回動させ、第１、２外殻演出部材２４、２５を大きく開放動作させて、第１、２内側演出部材２９、３０を折畳み状態から展開状態に変化させる。なお、この状態においては、突出部２３５は、ラック３２４におけるストッパ部３２４ａと押上げ部３２４ｂとの間の凹部３２４ｄに回転方向へ当接して第１、２外殻演出部材２４、２５の回転を阻止している。これにより、第１、２外殻演出部材２４、２５を回動状態に停止させたまま、確実に開放状態に変化させることができる。
【００６０】
リンク機構部３１は、支持部材２３の下片部２３４に前後方向を向く軸３１２により枢支されるレバー３１１と、レバー３１１の上端部に前後方向を向く連結軸３１４により連結される移動部材３１３と、右端部が移動部材３１３に上下方向の軸３１５により枢支され、左端部が第１外殻演出部材２４の内側面に上下方向を向く軸部３１６１ａにより回動可能に連結される第１外殻リンク３１６ａと、右端部が軸３１５により枢支され、左端部が第２内側演出部材３０の裏面側に上下方向を向く軸部３１６１ｂにより回動可能に連結される第２内側リンク３１６ｂと、右端部が軸３１５により枢支され、左端部が第１内側演出部材２９の裏面側に上下方向を向く軸部３１６１ｃにより回動可能に連結される第１内側リンク３１６ｃと、右端部が軸３１５により枢支され、左端部が第２外殻演出部材２５の裏面側に上下方向を向く軸部３１６１ｄにより回動可能に連結される第２外殻リンク３１６ｄと、レバー３１１を時計方向へ付勢するスプリング３１７とを有する。
【００６１】
レバー３１１は、図９に示すように、スプリング３１７の付勢力により上部が略直立姿勢の初期状態に保持されると共に、第１、２外殻演出部材２４、２５の下部隙間から右斜め下方へ向けて突出する下端部３１１ａを有し、下端部３１１ａが前述のように第２駆動機構部３２のラック３２４により押し上げられることにより、スプリング３１７の付勢力に抗して、初期状態から図９において反時計方向へ所定角度回動した図１０に示す開放状態に回動する。
【００６２】
移動部材３１３は、図９に示すように、レバー３１１が初期状態にあるときには第１、２外殻演出部材２４、２５内の右端に位置する初期状態にあり、レバー３１１が開方向へ回動すると、これに伴って図９において左方へ移動する。
【００６３】
各リンク３１６ａ〜３１６ｄは、図１１に示すように、移動部材３１３が初期状態にあるときには、第１、２外殻演出部材２４、２５を閉鎖状態、第１、２内側演出部材２９、３０を折畳み状態に保持し、移動部材３１３が開放状態に移動すると、これに伴って互いに外側へ向けて拡開するように回動することで、第１，２外殻演出部材２４、２５を開放状態、第１、２内側演出部材２９、３０を展開状態にそれぞれ回動させる。
【００６４】
（演出役物ユニット２１の動作説明）
遊技状態が通常遊技状態にある場合には、図２、５に示すように、第１外殻演出部材２４の表面部２４１は前側を向き、第２外殻演出部材２５の表面部２５１は後側を向く初期状態にある。
【００６５】
遊技状態がリーチ状態に移行した場合には、第１、２外殻演出部材２４、２５は、閉鎖状態のまま上昇移動し、図２に２点鎖線で示すように、表示装置１２の前側に出現する。
なお、第１、２外殻演出部材２４、２５は、閉鎖状態のまま上昇移動する例を説明したが、演出によっては回転しながら出現するようにしてもよい。
【００６６】
続いて、第１、２外殻演出部材２４、２５を閉鎖状態に停止させたまま、第１、２外殻演出部材２４、２５内の多色光源２７１、２８１を遊技状態に応じた色で発光させて第１、２外殻演出部材２４、２５における表面部２４１，２５１のレンズ部２４２、２５２を光輝させ、出現を視覚的に強調させる。続いて、第１駆動機構部２６の第１モータ２６３を起動させ、第１、２外殻演出部材２４、２５を閉鎖状態のまま支持部材２３と共に軸部２３１、２３２を中心に回転演出させる。
【００６７】
続いて、第２駆動機構部３２の第２モータ３２１を起動させ、ラック３２４が図１４に示す初期状態から上昇移動して図１５に示すストッパ状態で一旦停止するように、第２モータ３２１を制御する。これにより、ラック３２４のストッパ部３２４ａが支持部材２３の突出部２３５の移動軌跡内に進入することで、第１、２外殻演出部材２４、２５は、図６に示すように、第１外殻演出部材２４の表面部２４１が右側を向き、第２外殻演出部材２５の表面部２５１が左側を向く回動状態に停止する。
【００６８】
続いて、第１、２外殻演出部材２４、２５が回動状態に停止した状態で、さらにリーチアクションが発展すると、第２モータ３２１を再び起動させ、ラック３２４をストッパ状態から上昇移動させる。これにより、先ず、ラック３２４と一体になって上昇移動する楔部３２５の尖端部３２５ａが、図１３及び図１７に示すように、第１、２外殻演出部材２４、２５の間隙部４１に下方から進入することで、第１、２外殻演出部材２４、２５は、永久磁石３９、４０の吸着力に抗して、閉鎖位置から図７に示すように、前側が僅かに開放する。
【００６９】
そして、大当りが確定した場合には、さらに、ラック３２４が上昇して図１６に示す開放状態に移動して、ラック３２４の押上げ部３２４ｂがレバー３１１の下端部３１１ａを押し上げる。これにより、レバー３１１は、図９に示す初期状態から、スプリング３１７の付勢力に抗して、軸３１２を中心に図９において反時計方向へ回動し、図１０に示す開放状態に移動して移動部材３１３を前方へ移動させる。各リンク３１６ａ〜３１６ｄは、外側へ向けて拡開作動することで、第１、２外殻演出部材２４、２５を開放状態に変化させ、第１、２内側演出部材２９、３０を展開状態に変化させる。
【００７０】
これにより、図３、８、１２に示すように、第１、２外殻演出部材２４、２５が開放状態に変化すると、第１、２内側演出部材２９、３０は、レンズ部２９１、３０１が前側を向く展開状態となって、第１、２外殻演出部材２４、２５から出現する。そして、さらに、演出を盛り上げて遊技を高揚させるため、第１、２光源基板２７、２８の裏面に実装された単色光源２７２、２８２が遊技状況に応じた順番で発光するように制御される。単色光源２７２、２８２の光は、第１、２内側演出部材２９、３０のレンズ部２９１、３０１を裏面側から照射して、レンズ部２９１、３０１の表面を光輝させる。なお、この場合、単色光源２７２、２８２をそのときの遊技状況に応じた順番で点滅制御すると、これに同期して、多色光源２７１、２８１が何ら意味を持たないで色で発光することとなる。しかし、このときの多色光源２７１、２８１の光は、後ろ向きにある第１、２外殻演出部材２４、２５のレンズ部２４１、２５１を光輝させて、遊技者に対して視覚演出を与えるものでないから、その光はどのような色で発光しても遊技の演出に影響を与えるものではない。
【００７１】
リーチアクションまたは大当りアクションが終了すると、第２モータ３２１が反転し、ラック３２４が初期状態に戻る。これにより、第１、２外殻演出部材２４、２５は、スプリング３１７の付勢力により閉鎖状態となり、第１、２内側演出部材２９、３０は、第１、２外殻演出部材２４、２５内に格納される。
【符号の説明】
【００７２】
１  遊技機                            ２  外枠
３  内枠                              ４  遊技盤
４０１  遊技領域                      ４０２、４０３ガイドレール
４０４  右打ち通路                    ５  蝶番
６  ガラス枠                          ６１  ガラス板
７  上受皿部                          ８  下受皿部
９  発射ハンドル                      １０Ｌ、１０Ｒ  スピーカ
１１  電飾装置                        １２  表示装置
１３  装飾枠                          １３１  ワープ孔
１４  釘                              １５  風車
１６  ステージ                        １７  始動入賞口
１８  スルーチャッカ                  １９  アタッカ
２０  アウト口                        ２１  演出役物ユニット
２２  ベース部材                      ２２１  取付部
２２２  天井部                        ２２３  下片部
２２４  開口部                        ２３  支持部材
２３１  上向き軸部                    ２３２  下向き軸部
２３３  上片部                        ２３４  下片部 
２３５  突出部                        ２３６  金属片
２４  第１外殻演出部材（回転体）      ２４１  表面部
２４２  レンズ部                      ２４３  合わせ面
２５  第２外殻演出部材（回転体）      ２５１  表面部
２５２  レンズ部                      ２５３  合わせ面
２６  第１駆動機構部                  ２６１  カバー
２６２  軸孔                          ２６３  第１モータ（動力源）
２６４  中間平歯車                    ２６５  出力平歯車
２６５ａ  中心孔                      ２６６  コネクタ
２７  第１光源基板                    ２７１  多色光源
２７２  単色光源（内部の演出物）      ２８  第２光源基板
２８１  多色光源                      ２８２  単色光源（内部の演出物）
２９  第１内側演出部材（内部の演出物）２９１  レンズ部
３０  第２内側演出部材（内部の演出物）３０１  レンズ部
３１  リンク機構部                    ３１１  レバー
３１１ａ  下端部                      ３１２  軸
３１３  移動部材                      ３１３ａ  長孔
３１４  連結軸                        ３１５  軸
３１６ａ  第１外殻リンク              ３１６１ａ  軸部
３１６ｂ  第２内側リンク              ３１６１ｂ  軸部
３１６ｃ  第１内側リンク              ３１６１ｃ  軸部
３１６ｄ  第２外殻リンク              ３１６１ｄ  軸部
３１７  スプリング                    ３２  第２駆動機構部
３２１  第２モータ（動力源）          ３２２  中間平歯車
３２３  出力平歯車                    ３２４  ラック（作動部材）
３２４ａ  ストッパ部                  ３２４ｂ  押上げ部
３２４ｃ  歯部                        ３２４ｄ  凹部
３２５  楔部                          ３２５ａ  尖端部
３３  スリップリング                  ３３Ｒ  Ｒ配線
３３Ｇ  Ｇ配線                        ３３Ｂ  Ｂ配線
３３１  軸孔                          ３４  第１透明プレート
３５  軸                              ３６  第２透明プレート
３７  軸                              ３８  軸
３９、４０  磁石（吸着部材）          ４１  間隙部
【図１】
0006305880.tif 000002
【図２】
0006305880.tif 000003
【図３】
0006305880.tif 000004
【図４】
0006305880.tif 000005
【図５】
0006305880.tif 000006
【図６】
0006305880.tif 000007
【図７】
0006305880.tif 000008
【図８】
0006305880.tif 000009
【図９】
0006305880.tif 000010
【図１０】
0006305880.tif 000011
【図１１】
0006305880.tif 000012
【図１２】
0006305880.tif 000013
【図１３】
0006305880.tif 000014
【図１４】
0006305880.tif 000015
【図１５】
0006305880.tif 000016
【図１６】
0006305880.tif 000017
【図１７】
0006305880.tif 000018
【図１８】
0006305880.tif 000019
【図１９】
0006305880.tif 000020
【図２０】
0006305880.tif 000021